【手続補正書】
【提出日】平成15年12月17日(2003.12.17)
【手続補正１】
【補正対象書類名】明細書
【補正対象項目名】特許請求の範囲
【補正方法】変更
【補正の内容】
【特許請求の範囲】
【請求項１】
遊技盤において行われる遊技を統括的に制御する遊技制御装置と、
識別情報を変動表示する表示装置と、
前記表示装置における識別情報の変動表示を前記遊技制御装置からの制御信号により制御する表示制御装置と、を備えた遊技機において、
前記遊技制御装置は、
前記表示装置における前記識別情報の変動表示を開始させるとともに、前記識別情報を変動させる時間を指定する変動開始指令と、該変動開始指令に続いて送られ、当該変動表示装置における変動表示が停止したときの識別情報を決定させるための停止図柄指定信号と、を前記表示制御装置へ送り、
前記表示装置における変動表示を停止させる変動停止指令を前記表示制御装置へ送り、
前記表示制御装置は、
変動時間を測定するための変動中信号を出力し、
前記遊技制御装置から、前記変動開始指令を受け取ったら変動中信号を立ち上げ、前記変動停止指令を受け取ったら変動中信号を終了することを特徴とする遊技機。
【手続補正２】
【補正対象書類名】明細書
【補正対象項目名】０００２
【補正方法】変更
【補正の内容】
【０００２】
【従来の技術】
従来の遊技機においては、表示制御装置から検査用信号が、図１１に示すタイミングで出力されていた。
【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
【発明が解決しようとする課題】
しかし、この従来の遊技機では、表示制御装置が正確に検査できない問題があった。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
【課題を解決するための手段】
第１の発明は、遊技盤において行われる遊技を統括的に制御する遊技制御装置と、識別情報を変動表示する表示装置と、前記表示装置における識別情報の変動表示を前記遊技制御装置からの制御信号により制御する表示制御装置と、を備えた遊技機において、前記遊技制御装置は、前記表示装置における前記識別情報の変動表示を開始させるとともに、前記識別情報を変動させる時間を指定する変動開始指令と、該変動開始指令に続いて送られ、当該変動表示装置における変動表示が停止したときの識別情報を決定させるための停止図柄指定信号と、を前記表示制御装置へ送り、前記表示装置における変動表示を停止させる変動停止指令を前記表示制御装置へ送り、前記表示制御装置は、変動時間を測定するための変動中信号を出力し、前記遊技制御装置から、前記変動開始指令を受け取ったら変動中信号を立ち上げ、前記変動停止指令を受け取ったら変動中信号を終了することを特徴とする。


【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】削除
【補正の内容】
【手続補正１６】
【補正対象書類名】明細書
【補正対象項目名】００１６
【補正方法】変更
【補正の内容】
【００１６】
【発明の作用および効果】
第１の発明では、遊技盤において行われる遊技を統括的に制御する遊技制御装置と、識別情報を変動表示する表示装置と、前記表示装置における識別情報の変動表示を前記遊技制御装置からの制御信号により制御する表示制御装置と、を備えた遊技機において、前記遊技制御装置は、前記表示装置における前記識別情報の変動表示を開始させるとともに、前記識別情報を変動させる時間を指定する変動開始指令と、該変動開始指令に続いて送られ、当該変動表示装置における変動表示が停止したときの識別情報を決定させるための停止図柄指定信号と、を前記表示制御装置へ送り、前記表示装置における変動表示を停止させる変動停止指令を前記表示制御装置へ送り、前記表示制御装置は、変動時間を測定するための変動中信号を出力し、前記遊技制御装置から、前記変動開始指令を受け取ったら変動中信号を立ち上げ、前記変動停止指令を受け取ったら変動中信号を終了するので、変動時間を測定することができる。


【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正２２】
【補正対象書類名】明細書
【補正対象項目名】００２２
【補正方法】削除
【補正の内容】
【手続補正２３】
【補正対象書類名】明細書
【補正対象項目名】００２３
【補正方法】削除
【補正の内容】
【手続補正２４】
【補正対象書類名】明細書
【補正対象項目名】００６４
【補正方法】変更
【補正の内容】
【００６４】
前述したメインフロー（図５）で、表示制御装置３５０が遊技制御装置１００から通信割込信号を受信すると（Ｓ３）、通信割込サブルーチンが呼び出される（Ｓ４）。このサブルーチンでは、ＣＰＵ３５１は表示制御データを読み込み（Ｓ２１）、表示制御データが変動開始指令（８０ｈ）又は変動停止指令（８８ｈ）であるかを判断し（Ｓ２２）、表示制御データが変動開始指令（８０ｈ）又は変動停止指令（８８ｈ）であったら、これに対応した検査用コード信号（２０ｈ、２１ｈ）を出力し（Ｓ２３）、検査用ストローブ信号をハイレベルに立ち上げ（Ｓ２４）、表示制御装置３５０の検査用出力端子に接続される検査用機器に検査用データの取り込みを促す。その後ＣＰＵ３５１はストローブ信号のタイマを初期化して（Ｓ２５）、メインルーチンに戻る（Ｓ２６）。


【手続補正２５】
【補正対象書類名】明細書
【補正対象項目名】００６５
【補正方法】変更
【補正の内容】
【００６５】
一方、表示制御装置３５０が遊技制御装置１００から受信した表示制御データが変動開始指令（８０ｈ）でも変動停止指令（８８ｈ）でもなかったときは、Ｓ２６にスキップし、何もせずにメインルーチンに戻る（Ｓ２６）。


【手続補正２６】
【補正対象書類名】明細書
【補正対象項目名】０１１０
【補正方法】変更
【補正の内容】
【０１１０】
さらに、ステップＳ４２にて表示制御データを読み込んだサブＣＰＵ３６５は、表示制御データが変動開始指令（８０ｈ）又は変動停止指令（８８ｈ）であるかを判断し（Ｓ４４）、表示制御データが変動開始指令（８０ｈ）又は変動停止指令（８８ｈ）であったら、これに対応した検査用コード信号（２０ｈ、２１ｈ）を出力し（Ｓ４５）、検査用ストローブ信号をハイレベルに立ち上げ（Ｓ４６）、表示制御装置３５０の検査用出力端子に接続される検査用機器に検査用データの取り込みを促す。その後サブＣＰＵ３６５はストローブ信号のタイマを初期化する（Ｓ４７）。


【手続補正２７】
【補正対象書類名】明細書
【補正対象項目名】０１１１
【補正方法】変更
【補正の内容】
【０１１１】
一方、表示制御装置３５０が遊技制御装置１００から受信した表示制御データが変動開始指令（８０ｈ）でも変動停止指令（８８ｈ）でもなかったときは、検査用コード信号、検査用ストローブ信号の出力やストローブタイマを初期化することなく、Ｓ４８にスキップする。